(57)【特許請求の範囲】
【請求項１】
無線通信用に予め設定される複数の通信チャネルから選択される第１通信チャネルおよび第２通信チャネルを介して第１無線装置および第２無線装置とそれぞれ接続され、第１無線装置と第２無線装置との間の通信を中継する際に、
第１通信チャネルを介する第１無線装置との間の通信の品質を監視し、
第１通信チャネルを介する第１無線装置との間の通信に品質劣化が生じるとき、第２無線装置との間の通信を第２通信チャネルから他の通信チャネルに切替えて、第２通信チャネルを空きチャネルとして確保してから、
第１無線装置との間の通信を第２通信チャネルを介して行うように切替える中継用通信チャネルの切替方法であって、
前記第１無線装置は、ＰＨＳの公衆用基地局であり、
前記第２無線装置は、ＰＨＳの携帯局であり、
前記通信チャネルは、ＰＨＳの時分割多元接続方式で設定されるタイムスロットであることを特徴とする中継用通信チャネル切替方法。
【請求項２】
前記第２通信チャネルを空きチャネルとして確保することに失敗したとき、
前記第１無線装置との間の前記第１通信チャネルを介する通信と、前記第２無線装置との間の第２通信チャネルを介する通信とを継続することを特徴とする請求項１記載の中継用通信チャネル切替方法。
【請求項３】
前記第２通信チャネルを空きチャネルとして確保するために、前記第２無線装置との間の通信を該第２通信チャネルから切替える他の通信チャネルは、前記第１通信チャネルであることを特徴とする請求項１または２記載の中継用通信チャネル切替方法。
【請求項４】
前記タイムスロットは、送信および受信のためにそれぞれ４つずつ用いられ、
前記第１無線装置と前記第２無線装置との中継を、２つずつのタイムスロットを割当てて行うことを特徴とする請求項１〜３のいずれかに記載の中継用通信チャネル切替方法。
【発明の詳細な説明】
【０００１】
【発明の属する技術分野】
本発明は、ＰＨＳ（Ｐｅｒｓｏｎａｌ  Ｈａｎｄｙ  ｐｈｏｎｅ  Ｓｙｓｔｅｍ）の中継器などで、１つの呼に対して同時に複数の無線回線を制御する場合に、無線回線として使用する通信チャネルとしてのＴＣＨを切替える中継用通信チャネル切替方法に関する。
【０００２】
【従来の技術】
従来から、図５に示すようなＰＨＳの通信網が利用されている。ＰＨＳでは、複数の公衆基地局（ＣＳ）１，２，３，…がＰＨＳのサービスを行う地域に分散して配置される。公衆基地局（ＣＳ）１，２，３，…は、ＩＳＤＮ網１０などの公衆通信網を介して相互に通信可能に接続されている。ＰＨＳの通信網では、複数の携帯局（ＰＳ）１１，１２，１３，１４，１５，１６，…が原則としていずれかの公衆基地局（ＣＳ）１，２，３，…に対して無線で接続される。公衆基地局（ＣＳ）１，２，３，…と携帯局（ＰＳ）１１，１２，１３，１４，１５，１６，…との間に、無線中継器１９が設けられることもある。
【０００３】
図６は、図５に示すＰＨＳの通信網で無線中継器１９が携帯局（ＰＳ）１１，１２，１３，１４，１５，１６，…と公衆基地局（ＣＳ）１，２，３，…との間の中継を行う際のタイムスロットの使用状況を示す。ＰＨＳでは、「社団法人電波産業会ＳＴＤ−２８」として制定されているエアーインタフェースに従って行われる。ＰＨＳの無線アクセス方式は、ＴＤＭＡ（Ｔｉｍｅ  Ｄｉｖｉｓｉｏｎ  Ｍｕｌｔｉｐｌｅ  Ａｃｃｅｓｓ）と呼ばれる時分割多元接続方式が採用され、公衆基地局（ＣＳ）１，２，３，…は或る特定時間間隔毎にスロットを割りふり、スロット毎に異なる情報を通信する。ＰＨＳでは、８スロットで送受信を行う最小フレームをＴＤＭＡフレームとして規定し、５ｍｓｅｃ単位で繰返す。１つのＴＤＭＡフレームは、無線中継器１９が送信する送信（ＴＸ）用に割当てられる４つのスロットと、受信（ＲＸ）用に割当てられる４つのスロットとから構成される。
【０００４】
一般に無線中継器１９は、公衆用電波と自営用電波との相互間の変換を行い、自身は公衆基地局（ＣＳ）からの通信を待ち受けながら、自営用の制御用電波を送信し、複数台の登録された端末局としての携帯局（ＰＳ）に対しては、通信を待ち受けさせる。無線中継器１９を介する通話が開始されると、無線中継器１９は、携帯局（ＰＳ）に対しては自営用電波を使用して通信を行い、公衆基地局（ＣＳ）に対しては公衆用電波で通信を行う。携帯局（ＰＳ）と公衆用基地局（ＣＳ）との間の通信内容は相互に乗せ換えられ、公衆基地局（ＣＳ）１，２，３，…と携帯局（ＰＳ）１１，１２，１３，１４，１５，１６，…との間の無線中継が行われる。ＰＨＳでは、１つのタイムスロットを使用することによって、３２ｋｂｉｔ／ｓのデータ伝送速度を得ることができる。１９９６年４月に財団法人電波システム開発センター（ＲＣＲ）を継承した社団法人電波産業会が事務局となって策定されたＰＩＡＦＳ（ＰＨＳ  Ｉｎｔｅｒｎｅｔ  Ａｃｃｅｓｓ  Ｆｏｒｕｍ  Ｓｔａｎｄａｒｄ）では、２つのタイムスロットを用いて６４ｋｂｉｔ／ｓの伝送速度が得られるようにしている。図６では、データ通信速度向上の目的から１つの呼において２つのタイムスロットを占有して通信する方式を示す。すなわち、１番目および２番目のタイムスロットＴＳ１，ＴＳ２を携帯局（ＰＳ）側との通信チャネルとして使用し、３番目および４番目のタイムスロットＴＳ３，ＴＳ４を公衆基地局（ＣＳ）側との間の通信チャネルとして使用する。
【０００５】
図５に示すように、ＰＨＳの通信網では多くの公衆基地局（ＣＳ）や端末局（ＰＳ）が無線電波を介して通信を行う。また、ＰＨＳ以外にも無線電波は広く使用されている。また、各種電子機器等から発生されるノイズも存在する。このため、無線中継器１９が使用するタイムスロットで、他の電波などと干渉して通信品質に劣化が生じる場合がある。通信の品質が劣化すると、通信が不可能になったり、正しく通信が可能になるまでに何回もの通信を繰返して行う必要が生じる。
【０００６】
無線通信の品質劣化が生じるときには、通信チャネルを換えてみると干渉などが回避される可能性がある。従来のＰＨＳの無線中継器１９では、無線通信の品質劣化時にタイムスロットの変更が試みられる。ただし、切替予定のタイムスロットが既に使用中の場合には、タイムスロットを切替えることができない。たとえば図６で示すような２つずつのタイムスロットを使用して中継を行っているような場合には、全部のタイムスロットが使用され、そのうちの１つを他のタイムスロットに切替えようとしても、切替予定のタイムスロットは既に使用されていることになる。
【０００７】
図７は、１つのタイムスロットで品質劣化が生じ、そのタイムスロットを移動する先で使用中のタイムスロットも、同時に切替えるシーケンスを示す。すなわち、図６に示すように１番目と２番目のタイムスロットＴＳ１，ＴＳ２を携帯器（ＰＳ）との通信に使用し、３番目および４番目のタイムスロットＴＳ３，ＴＳ４を公衆基地局（ＣＳ）との間の通信に使用している際に、公衆基地局（ＣＳ）が３番目のタイムスロットＴＳ３の品質劣化を検出して、２番目のタイムスロットＴＳ２に切替える指示を、無線中継器１９に対して与えると、無線中継器１９は公衆基地局（ＣＳ）に対してＴＳ２上で通信チャネルＴＣＨをＴＳ３からＴＳ２に切替えるＴＣＨを行う切替シーケンスを実行すると同時に、携帯局（ＰＳ）に２番目のタイムスロットＴＳ２を３番目のタイムスロットＴＳ３に切替える指示を出し、３番目のタイムスロットＴＳ３上で通信チャネルＴＣＨ切替えのシーケンスを実行する。
【０００８】
【発明が解決しようとする課題】
無線中継器１９が使用する通信チャネルで通信の品質劣化が生じると、円滑な中継を行うことができなくなってしまう。図６に示すように、ＰＨＳの携帯局（ＰＳ）と公衆基地局（ＣＳ）との間を中継しているような場合で、２つのタイムスロットずつを用いて通信を行っているようなときに、１つのタイムスロットを他のタイムスロットに切替えようとしても、移動先のタイムスロットは既に使用されているので、そのままではタイムスロットを切替えることができない。
【０００９】
図７に示すような手順で移動先のタイムスロットの切替えも同時に行うようにすれば、空いているタイムスロットがなくても切替えを行うことはできる。しかしながら、図７に示すような手順で、公衆基地局（ＣＳ）と無線中継器との間のタイムスロットのＴＳ３からＴＳ２への切替えと、無線中継器と携帯局（ＰＳ）との間のタイムスロットのＴＳ２からＴＳ３への切替えとを同時に行うときには、いずれか一方のタイムスロットの切替えに失敗すると、通信に使用する通信チャネルの競合が長期間にわたって継続する状態となり、結果的に呼が切断されるという問題がある。
【００１０】
たとえば図７で、無線中継器と携帯局（ＰＳ）との間での３番目のタイムスロットＴＳ３上でＴＣＨ切替シーケンスを失敗すると、その時点で２番目のタイムスロットＴＳ２は無線中継器と公衆基地局（ＣＳ）との間の通信チャネルとして既にＴＣＨ切替シーケンスに成功して占有されているので、元の通信チャネルへ戻ることができなくなってしまうからである。
【００１１】
前述のように、従来の技術では、ＰＨＳなどで使用される無線中継器で、通信チャネルのＴＣＨ切替えを行う場合は、切替先のタイムスロットが中継中のもう一方の無線通信で使用しているタイムスロットと重ならない関係である必要がある。また、重なるような場合でも通信チャネルのＴＣＨ切替えを可能とするために、とりあえず通信干渉が生じている通信チャネルＴＣＨの切替えを行った後、競合しているもう一方の通信チャネルを切替えようとして、この切替えが成功すれば問題はないけれども、失敗した場合は通信チャネルの競合が継続することとなり、結果的に呼の切断となる確率が高くなってしまう。
【００１２】
本発明の目的は、複数の通信チャネルを利用して無線中継を行っている際に、品質劣化が生じる通信チャネルを介する無線通信を、他の通信チャネルに円滑に切替えることができる中継用通信チャネルの切替方法を提供することである。
【００１３】
【課題を解決するための手段】
本発明は、無線通信用に予め設定される複数の通信チャネルから選択される第１通信チャネルおよび第２通信チャネルを介して第１無線装置および第２無線装置とそれぞれ接続され、第１無線装置と第２無線装置との間の通信を中継する際に、
第１通信チャネルを介する第１無線装置との間の通信の品質を監視し、
第１通信チャネルを介する第１無線装置との間の通信に品質劣化が生じるとき、第２無線装置との間の通信を第２通信チャネルから他の通信チャネルに切替えて、第２通信チャネルを空きチャネルとして確保してから、
第１無線装置との間の通信を第２通信チャネルを介して行うように切替える中継用通信チャネルの切替方法であって、
前記第１無線装置は、ＰＨＳの公衆用基地局であり、
前記第２無線装置は、ＰＨＳの携帯局であり、
前記通信チャネルは、ＰＨＳの時分割多元接続方式で設定されるタイムスロットであることを特徴とする中継用通信チャネル切替方法である。
【００１４】
本発明に従えば、第１無線装置とは第１通信チャネルを介して、第２無線装置とは第２通信チャネルを介してそれぞれ通信を行い、第１無線装置と第２無線装置との間の通信を中継する際に、第１通信チャネルを介する第１無線装置との間の通信の品質劣化が生じると、中継に使用する通信チャネルの切替えを行う。通信チャネルの切替えは、先ず第２無線装置との間の通信を第２通信チャネルから他の通信チャネルに切替えて、第２通信チャネルを空きチャネルとして確保してから第１無線装置との間の通信を第２通信チャネルを介して行うように切替えるので、通信チャネルの競合を避けて円滑に切替えを行うことができる。
また、ＰＨＳの携帯局と公衆基地局との間の通信を中継する際に、ＰＨＳの時分割多元接続方式で設定されるタイムスロットを切替えて干渉などによる通信の品質劣化の回避を図ることができる。
【００１５】
また本発明は、前記第２通信チャネルを空きチャネルとして確保することに失敗したとき、
前記第１無線装置との間の前記第１通信チャネルを介する通信と、前記第２無線装置との間の第２通信チャネルを介する通信とを継続することを特徴とする。
【００１６】
本発明に従えば、第１無線装置との間の通信を第１通信チャネルから第２通信チャネルに切替えるために、第２無線装置との間の通信を第２通信チャネルから他のチャネルに切替えて第２通信チャネルを空きチャネルとして確保することに失敗すると、第１無線装置との間の通信を第２通信チャネルには切替えずに第１通信チャネルのまま継続する。空きチャネルの確保に成功すれば通信の品質劣化の回避が期待され、確保に失敗しても元の状態で通信を継続することはできるので、呼びの継続性を高めることができる。
【００１７】
また本発明は、前記第２通信チャネルを空きチャネルとして確保するために、前記第２無線装置との間の通信を該第２通信チャネルから切替える他の通信チャネルは、前記第１通信チャネルであることを特徴とする。
【００１８】
本発明に従えば、第１無線装置との間の通信を行うチャネルを第１通信チャネルから第２通信チャネルに切替える際に、第２通信チャネルを空きチャネルにするために、第２無線装置との間の通信を第２通信チャネルから第１通信チャネルに切替えるので、第１無線装置と第２無線装置との間の通信の中継に使用している通信チャネルの範囲で切替えを行うことができる。
【００１９】
また本発明は、前記タイムスロットは、送信および受信のためにそれぞれ４つずつ用いられ、
前記第１無線装置と前記第２無線装置との中継を、２つずつのタイムスロットを割当てて行うことを特徴とする。
【００２０】
本発明に従えば、送信および受信のためにそれぞれ４つのタイムスロットを用い、４つのうちの２つずつのタイムスロットを第１無線装置と第２無線装置との中継に割当て、データ通信速度を向上させることができる。
【００２１】
【発明の実施の形態】
図１は、本発明の実施の一形態として、ＰＨＳで中継する通信チャネルとしてのタイムスロットを切替える構成と切替えの手順とを示す。図１（ａ）に示すように、ＰＨＳの無線中継器２０は、第１無線装置である公衆基地局（ＣＳ）２１と、第２無線装置である携帯局（ＰＳ）２２との間で呼等の通信を中継する。無線中継器２０におけるタイムスロット（ＴＳ）の使用状況は、図６と同様とする。すなわち、時分割多元接続方式で設定される送信（ＴＸ）および受信（ＲＸ）のためのそれぞれ４つのタイムスロットＴＳ１，ＴＳ２，ＴＳ３，ＴＳ４のうち、データ通信速度向上の目的から２つずつのタイムスロットを占有して中継する。図６と同様に、無線中継器２０は第１番目および第２番目のタイムスロットＴＳ１，ＴＳ２を携帯局（ＰＳ）２２側との通信に使用し、第３番目および第４番目のタイムスロットＴＳ３，ＴＳ４を公衆基地局（ＣＳ）２１との通信に使用する。
【００２２】
図１（ｂ）に示すように、ステップｓ１から手順を開始してステップｓ２で公衆基地局２１と携帯局２２との間の無線中継を行い、ステップｓ３で品質劣化を監視し、品質劣化が生じていなければ、ステップｓ２に戻って無線中継を続ける。品質劣化は、ある一定区間のフレームエラー数で判断する。このような品質劣化の判断は、携帯局（ＰＳ）２２、無線中継器２０および公衆基地局（ＣＳ）２１のすべてで行われる。品質劣化を判断する機能は、従来から備えられている。ステップｓ３で、品質劣化が検出されると、ステップｓ４で公衆基地局（ＣＳ）２１から無線中継器２０との間の通信に使用している通信チャネルであるＴＣＨとしてのタイムスロットを切替えるＴＣＨ切替指示が与えられる。無線中継器２０は、公衆基地局（ＣＳ）２１との間の通信チャネルＴＣＨを切替える前に、携帯局（ＰＳ）２２へ無線中継器２０と携帯局（ＰＳ）２２との間で通信に使用している通信チャネルＴＣＨの切替指示を行う。ステップｓ６では、携帯局（ＰＳ）２２と無線中継器２０との間で通信チャネルＴＣＨ切替シーケンスが実行される。
【００２３】
ステップｓ７では、携帯局（ＰＳ）２２と無線中継器２０との間で通信チャネルＴＣＨの切替えが成功しているか否かを判断する。切替えが成功しているか否かの判断は、ＴＣＨ切替シーケンスが最後まで正常に完了したか否かに従って行う。成功／失敗の判断は、携帯局（ＰＳ）２２、無線中継器２０および公衆基地局（ＣＳ）２１のすべてで行われる。通信チャネルＴＣＨの切替えが成功していないと判断されるときには、通信チャネルＴＣＨの切替えは行わず、ステップｓ２に戻って元のままの通信チャネルＴＣＨを使用して無線中継を続ける。ステップｓ７で、端末局（ＰＳ）２２との間で切替えが成功していると判断されるときには、ステップｓ８で公衆基地局（ＣＳ）２１との間でも通信チャネルＴＣＨ切替シーケンスを実行し、ステップｓ２に戻り、元の状態とは通信チャネルＴＣＨが異なる状態で無線中継を継続する。
【００２４】
一般に無線中継器２０は、公衆用電波と自営用電波との相互の変換を行う。無線中継器２０自身は公衆基地局（ＣＳ）２１からの指示を待ち受けながら、自営用の制御用電波を送信し、複数台の登録された携帯局（ＰＳ）２２を子機として信号待ち受け状態で待機させる。ＰＨＳの通話が始まると、携帯局（ＰＳ）２２に対しては、自営用電波を使用して通信を行い、公衆基地局（ＣＳ）２１に対しては公衆用電波を使用して通信を行う。したがって、携帯局（ＰＳ）２２は、無線中継器２０を介する場合と、直接公衆基地局（ＣＳ）２１に接続される場合とで区別することなく、同一の動作を行う。公衆基地局（ＣＳ）２１側も、無線中継器２０を介する場合と直接接続される場合とを区別することなく、同一の動作を行う。
【００２５】
図２は、無線中継器２０の概略的なシステム構成を示す。無線中継器２０には、無線部３１、チャネルコーデック部３２および制御部３３が含まれる。無線部３１では、無線信号の送受信が行われる。チャネルコーデック部３２では、タイムスロット毎に信号を組立てたり分解したりする。制御部３３では、通信チャネルＴＣＨ切替シーケンスなどを実行し、呼の接続および維持を管理する。
【００２６】
図６で説明したように、ＰＨＳは割当てられている無線電波の同一の周波数で時間軸上を複数の区間、ＰＨＳの場合は４つのタイムスロット（ＴＳ）に分割し、各々のタイムスロットを別々のユーザに割当てる時分割多元接続方式を使用している。また、最近ではデータ通信速度の向上の目的から、２つのタイムスロットを同一のユーザに割当てる方式も採用されている。図６では、受信（ＲＸ）の区間の第１および第２のタイムスロットＴＳ１，ＴＳ２で携帯局（ＰＳ）２２から受信した信号を、送信（ＴＸ）区間の第３および第４タイムスロットＴＳ３，ＴＳ４で公衆基地局（ＣＳ）２１に送信することによって、携帯局（ＰＳ）２２からの電波を公衆基地局（ＣＳ）２１に中継する。同じく、受信（ＲＸ）区間の第３および第４タイムスロットＴＳ３，ＴＳ４で受信した公衆基地局（ＣＳ）２１からの信号を、送信（ＴＸ）区間の第１および第２タイムスロットＴＳ１，ＴＳ２で携帯局（ＰＳ）２２に送信することによって、公衆基地局（ＣＳ）２１からの電波を携帯局（ＰＳ）２２に中継する。
【００２７】
図３は、図６に示すようなタイムスロットの割当てで、第３のタイムスロットＴＳ３の期間中に干渉が発生した場合に、図１（ｂ）に示す手順に従って行われる通信チャネルＴＣＨ切替えのシーケンスを示す。公衆基地局（ＣＳ）２１は、通信の品質を監視し、品質劣化が生じるタイムスロットについて、「ＴＣＨ切替指示」メッセージ（Ａ）を無線中継器２０に与え、干渉が生じているチャネルの移動を要求する。「ＴＣＨ切替指示」メッセージには、移動先のタイムスロット情報および通信チャネル情報などが含まれる。ここでは、第３番目のタイムスロットＴＳ３の通信チャネルを第２番目のタイムスロットＴＳ２に移動させる場合の動作について説明する。
【００２８】
２番目のタイムスロットＴＳ２は、無線中継器２０において携帯局（ＰＳ）２２との通信チャネルとして使用されているため、このままでは公衆基地局（ＣＳ）２１との間の通信チャネルを移動させることができない。そこで、無線中継器２０は、携帯局（ＰＳ）２２に「ＴＣＨ切替指示」メッセージ（Ｂ）を送信する。このメッセージの内容は、携帯局（ＰＳ）２２との間で通信チャネルとして使用している２番目のタイムスロットＴＳ２を３番目のタイムスロットＴＳ３へ移動させる指示とする。メッセージを受信した携帯局（ＰＳ）２２では、通信チャネルＴＣＨ切替えのためのシーケンスを３番目のタイムスロットＴＳ３上で実行する。このＴＳ３上でのＴＣＨ切替シーケンス（Ｃ）が完了した時点で、２番目のタイムスロットＴＳ２は空き状態となるため、無線中継器２０は次に２番目のタイムスロットＴＳ２上でＴＣＨ切替シーケンス（Ｄ）を実行し、公衆基地局（ＣＳ）２１との間で干渉が生じている通信チャネルの移動を完了させることができる。ＴＣＨ切替シーケンスは、「同期バースト」の送受信と「ＴＣＨバースト」の送受信とによって行う。
【００２９】
図４は、図３と同様に公衆基地局（ＣＳ）２１からの通信チャネルＴＣＨ切替指示（Ａ）に応じて、無線中継器２０が携帯局（ＰＳ）２２に対して、通信チャネルＴＣＨ切替指示（Ｂ）を与え、無線中継器２０と携帯局（ＰＳ）２２との間の通信を２番目のタイムスロットＴＳ２から３番目のタイムスロットＴＳ３に切替えるＴＣＨ切替シーケンスを３番目のタイムスロットＴＳ３上で行うときに、切替えが失敗する場合の全体的な通信シーケンスを示す。無線中継器２０と携帯局（ＰＳ）２２との間で３番目のタイムスロットＴＳ３上での通信チャネルＴＣＨ切替シーケンス（Ｃ）に失敗すると、無線中継器２０と携帯局（ＰＳ）２２との間では、２番目のタイムスロットＴＳ２上で切戻りシーケンス（Ｄ）を行う。この切戻りシーケンス（Ｄ）で、無線中継器２０と携帯局（ＰＳ）２２との間の通信は元の２番目のタイムスロットＴＳ２に戻る。無線中継器２０と携帯局（ＰＳ）２２との間で３番目のタイムスロットＴＳ３上でのＴＣＨ切替シーケンス（Ｃ）が失敗しているので、無線中継器２０と公衆基地局（ＣＳ）２１との間の通信チャネルＴＣＨは３番目のタイムスロットＴＳ３から変わらず、２番目のタイムスロットＴＳ２上での切戻りシーケンス（Ｄ）が終了すれば、公衆基地局（ＣＳ）２１からの通信チャネルＴＣＨ切替指示（Ａ）が行われる前の状態に戻って、通信が継続される。
【００３０】
以上説明した実施形態では、ＰＨＳの無線中継で、４つのタイムスロットを２つずつ使用してデータ通信速度向上を図っているけれども、タイムスロットを１つずつ使用して中継することもできる。タイムスロットを１つずつ使用するときには、使用していないタイムスロットに切替えられる可能性が高くなる。しかしながら、以上説明した実施形態のように４つのタイムスロットの全部を使用していても、一方に対する中継で使用するタイムスロットと、他方に対する中継で使用するタイムスロットとを、結果的に交換するような切替えが可能となる。無線通信で干渉が生じるときには、無線中継器２０、公衆基地局（ＣＳ）２１および携帯局（ＰＳ）２２の地理的な位置が影響する場合もあるので、タイムスロットの時間的な位置を変えれば、干渉の程度が低下し、通信の品質劣化を免れることが可能性が生じる。また、同時に使用している２つのタイムスロットのうちの１つのタイムスロットを切替えるようにしているけれども、２つのタイムスロットを同時に切替えることもできる。ただし、同一の周波数を分割したタイムスロットのうちの特定のタイムスロットで干渉が生じているときには、タイムスロットを１つずつ切替えて、切替えに成功するか否かを確認する方が干渉の回避を確実に図ることができる。
【００３２】
【発明の効果】
以上のように本発明によれば、第１無線装置との間の通信に使用する第１通信チャネルが干渉などによって通信の品質劣化を生じているときに、第２無線装置との間の通信に使用している第２通信チャネルを空きチャネルとしてから、第１無線装置との間の通信に使用するように切替えることができる。第２通信チャネルは、第２無線装置との間の通信に使用していた通信チャネルであり、第１通信チャネルよりも干渉による品質劣化が少ない状態で通信が可能であると期待することができる。第２通信チャネルを空きチャネルとしてから切替えるので、第１無線装置との間の通信を第１通信チャネルから第２通信チャネルに円滑かつ確実に切替えることができる。
また、ＰＨＳの時分割多元接続方式で設定されるタイムスロットを切替えて、干渉などによる通信の品質劣化が発生しても、品質劣化の回避を図ることができる。
【００３３】
また本発明によれば、第１無線装置との間の通信を第１通信チャネルから第２無線装置との間の通信を第２通信チャネルから他の通信チャネルに切替えようとして、切替えに失敗するときは第１無線装置との間の通信を第１通信チャネルから第２通信チャネルに切替えないので、少なくともそれまでの通信状態を継続することはでき、中継状態がさらに悪くならないようにすることができる。
【００３４】
また本発明によれば、第１無線装置との間の通信を行う通信チャネルを第１通信チャネルから第２通信チャネルに切替えようとするときに、第２無線装置との間の通信チャネルを第２通信チャネルから第１通信チャネルに切替え、第２通信チャネルを空きにしてから第１無線装置との間の通信を第２通信チャネルを介して行うように切替えるので、第１無線装置との間の通信に使用する通信チャネルを切替える際には切替先の通信チャネルが空きチャネルとなっており、円滑な切替えを行うことができる。
【００３５】
また本発明によれば、第１無線装置との間の通信を第１通信チャネルから第２通信チャネルに切替えるために、第２無線装置との間の通信を行っている第２通信チャネルを他の通信チャネルに切替えて、第２通信チャネルを空きチャネルにすることに失敗すると、通信チャネルの切替えを行わずに中継を継続するので、無線中継の状態がより一層悪くなるのを防ぐことができる。
【００３６】
また本発明によれば、無線中継に使用している第１通信チャネルと第２通信チャネルとを交換して干渉などによる通信品質劣化に対処させることができる。
【００３７】
また本発明によれば、送信と受信とに用いる４つのタイムスロットを、第１無線装置と第２無線装置との中継に２つずつ割当てて、通信速度の向上を図ることができる。
【図面の簡単な説明】
【図１】本発明の実施の一形態としての中継用通信チャネル切替方法を実施するＰＨＳの無線中継システムの概略的な構成を示すブロック図、およびその通信チャネル切替手順の概要を示すフローチャートである。
【図２】図１の無線中継器２０の概略的なシステム構成を示すブロック図である。
【図３】図１のＰＨＳ通信網で中継に使用しているタイムスロットを切替える際の手順を示す通信シーケンス図である。
【図４】図１のＰＨＳ通信網で中継に使用しているタイムスロットの切替えに失敗して元の通信状態を継続するまでの手順を示す通信シーケンス図である。
【図５】従来からのＰＨＳ通信網の概要を示すブロック図である。
【図６】図５に示す無線中継器１９によるタイムスロットの使用状況を示す図である。
【図７】図６に示すようなタイムスロットの使用状況で、１つのタイムスロットを他のタイムスロットに切替える手順を示す通信シーケンス図である。
【符号の説明】
２０  無線中継器
２１  公衆基地局
２２  携帯局
３１  無線部
３２  チャネルコーデック部
３３  制御部
【図１】
0003625412.tif 000002
【図２】
0003625412.tif 000003
【図３】
0003625412.tif 000004
【図４】
0003625412.tif 000005
【図５】
0003625412.tif 000006
【図６】
0003625412.tif 000007
【図７】
0003625412.tif 000008